(57)【特許請求の範囲】
【請求項１】
媒体出入口に連通する内方の媒体搬送路を介して媒体を挿入・返却処理する媒体処理装置であって、
上記媒体搬送路上に配設して、搬送される上記媒体のデータを処理する媒体データ処理手段と、
第１の媒体を発行待機させる媒体収納部と、
前後に位置する上記媒体収納部と上記媒体搬送路との間に配設され、上記媒体収納部と上記媒体搬送路とを前後に接続する接続位置に移動可能な媒体発行通路と、
上記媒体発行通路と上下に平行して配設され、上記媒体搬送路との接続位置に移動可能で、上記媒体出入口より第２の媒体を受入れて一時保留する一時保留部と、
上記媒体発行通路と上記一時保留部とを媒体の厚み方向である上下方向に平行移動して、いずれか一方を上記媒体搬送路との接続位置に切換える切換手段とを備えた
媒体発行装置。
【請求項２】
一時保留部には、第２の媒体を回収するための回収手段を備えた
請求項１記載の媒体発行装置。
【請求項３】
媒体発行通路と一時保留部との一体を、交換可能にユニット化して媒体搬送路に接続した
請求項１記載の媒体発行装置。
【請求項４】
カード出入口に連通する内方のカード搬送路を介してカードを挿入・返却処理するカード処理装置であって、
上記カード搬送路上に配設して、搬送される上記カードのデータを処理するカードデータ処理手段と、
ＩＣカードを発行待機させるＩＣカード収納部と、
前後に位置する上記ＩＣカード収納部と上記カード搬送路との間に配設され、上記ＩＣカード収納部と上記カード搬送路とを前後に接続する接続位置に移動可能なＩＣカード発行通路と、
上記カード搬送路と上下に平行して配設され、上記ＩＣカード発行通路と平行に配設すると共に、上記カード搬送路との接続位置に移動可能で、上記カード出入口より磁気カードを受入れて一時保留する一時保留部と、
上記ＩＣカード発行通路と上記一時保留部とをカードの厚み方向である上下方向に平行移動して、いずれか一方を上記カード搬送路との接続位置に切換える切換手段とを備えた
カード発行装置。
【発明の詳細な説明】
【０００１】
【発明の属する技術分野】
この発明は、例えば自動預金支払機（ＡＴＭ）等の自動取引機に内部構成されるような媒体発行装置に関し、さらに詳しくは種類の異なる磁気カードやＩＣカード等の異種媒体を１台で能率よく処理する媒体発行装置及びカード発行装置に関する。
【０００２】
【従来の技術】
以下、カードを例にとって説明すると、近年、磁気カードとＩＣカードとの双方を共通してデータ処理する両データ処理機能を備えたカード処理装置が知られている。
【０００３】
このような各種カードを共通してデータ処理するカード処理装置の共用化を図った場合、次のような問題が生じていた。
例えば、顧客が銀行カード（磁気カード）をカードリーダに挿入し、その銀行カードに該当する口座から指定金額を新しいＩＣカードにロードして発行する電子マネーシステムを採用した場合、従来のＩＣカード発行機では、カードの通路が一つしかないので銀行カードの磁気データ処理が終了し、そのデータ処理が終了した銀行カードを顧客に返却した後にしか、ＩＣカードを発行できなかった。また、このときは無効あるいは不正と判定された銀行カードを回収できなかった。
【０００４】
さらに、銀行カードの適否や顧客の不正行為をチェックする必要性から、銀行カードは最後に返却することが適している。このため、ＩＣカードを発行した後に、銀行カードを返却するという搬送処理を確立するためには、装置内部に銀行カードの磁気データを処理する磁気カードリーダと、ＩＣカードに金額をロードするＩＣカードリーダとを併設する必要があり、このために外形寸法が大きくなって装置が大型化し、またコスト高になるという問題を有していた。
【０００５】
【発明が解決しようとする課題】
そこでこの発明は、異種媒体の処理に際して、異種媒体を挿入、返却してデータ処理するだけでなく、一時保留、回収、発行に適した処理構造を持たせることにより、異種媒体を短時間に能率よくデータ処理して装置の小型化及び低コスト化を図ることができる媒体発行装置及びカード発行装置の提供を目的とする。
【０００６】
【課題を解決するための手段】
請求項１記載の発明は、媒体出入口に連通する内方の媒体搬送路を介して媒体を挿入・返却処理する媒体処理装置であって、上記媒体搬送路上に配設して、搬送される上記媒体のデータを処理する媒体データ処理手段と、第１の媒体を発行待機させる媒体収納部と、前後に位置する上記媒体収納部と上記媒体搬送路との間に配設され、上記媒体収納部と上記媒体搬送路とを前後に接続する接続位置に移動可能な媒体発行通路と、上記媒体発行通路と上下に平行して配設され、上記媒体搬送路との接続位置に移動可能で、上記媒体出入口より第２の媒体を受入れて一時保留する一時保留部と、上記媒体発行通路と上記一時保留部とを媒体の厚み方向である上下方向に平行移動して、いずれか一方を上記媒体搬送路との接続位置に切換える切換手段とを備えた媒体発行装置であることを特徴とする。
【０００８】
請求項２記載の発明は、一時保留部に第２の媒体を回収するための回収手段を備えたことを特徴とする。
【０００９】
請求項３記載の発明は、媒体発行通路と一時保留部との一体を、交換可能にユニット化して媒体搬送路に接続したことを特徴とする。
【００１０】
請求項４記載の発明は、カード出入口に連通する内方のカード搬送路を介してカードを挿入・返却処理するカード処理装置であって、上記カード搬送路上に配設して、搬送される上記カードのデータを処理するカードデータ処理手段と、ＩＣカードを発行待機させるＩＣカード収納部と、前後に位置する上記ＩＣカード収納部と上記カード搬送路との間に配設され、上記ＩＣカード収納部と上記カード搬送路とを前後に接続する接続位置に移動可能なＩＣカード発行通路と、上記カード搬送路と上下に平行して配設され、上記ＩＣカード発行通路と平行に配設すると共に、上記カード搬送路との接続位置に移動可能で、上記カード出入口より磁気カードを受入れて一時保留する一時保留部と、上記ＩＣカード発行通路と上記一時保留部とをカードの厚み方向である上下方向に平行移動して、いずれか一方を上記カード搬送路との接続位置に切換える切換手段とを備えたカード発行装置であることを特徴とする。
【００１１】
【発明の作用及び効果】
この発明によれば、第１の媒体を内部の媒体収納部に発行待機させた状態で、第２の媒体を外部の媒体出入口より受入れると、その第２の媒体を内方の媒体搬送路に導いて取込み、その搬送途中に第２の媒体のデータを、媒体データ処理手段により読取って一時保留部に一時保留する。この一時保留後は、切換手段により媒体発行通路を媒体搬送路に接続し、この接続状態で媒体収納部から第１の媒体を発行すべく繰出し、その繰出し途中に媒体データ処理手段により第２の媒体に応じたデータ処理を第１の媒体に施して発行し、最後に第２の媒体を一時保留部から媒体出入口へと返却する。
【００１２】
このように、媒体搬送路の後段に切換可能な一時保留部と媒体発行通路を後付けすることにより、媒体出入口に連通する内方の１つの媒体搬送路から２つの媒体処理機能を持たせることができ、この結果、最初に受付けた媒体を最後に返却できるなど２種類の媒体を能率よくデータ処理でき、両媒体を扱う搬送系を簡素化構成して装置全体の小型化と、低コスト化を図ることができる。
【００１３】
また、切換手段は媒体発行通路と一時保留部とを媒体の厚み方向である上下方向に平行移動させて切換えるので、カード等の変形し難い媒体の受渡し搬送に適した切換ができる。
【００１４】
さらに、一時保留部に第２の媒体を回収するための回収手段を備えた場合は、この一時保留部より無効媒体、不正媒体と判定された第２の媒体をそのまま内部に自動的に回収処理することができる。
【００１５】
また、媒体発行通路と一時保留部との一体を、交換可能にユニット化して媒体搬送路に接続した場合は、係員が媒体を回収したり、内部点検するときに係員操作が容易になり、また取扱う媒体の種類を変更するときに、そのユニット化した部分を交換するだけで簡単に変更することができる。
【００１６】
また、第１の媒体にＩＣカードを用い、第２の媒体に磁気カードを適用した場合は、磁気カードを受入れて、そのデータに応じて対応するデータを記録させたＩＣカードを発行することができ、またそのときに磁気カードが無効あるいは不要になれば、そのまま回収することができ、ＩＣカードと磁気カードとの両カードを能率よく扱ってデータ処理することができる。
【００１７】
【実施例】
この発明の一実施例を以下図面に基づいて詳述する。
図面はカード発行装置を示し、図１に示すように、このカード発行装置１１は正面にカード出入口１２を有し、このカード出入口１２と連通する内方にカード搬送路１３と、カード切換搬送部１４と、カード発行部１５とをこの順に配設して構成する。
【００１８】
上述のカード搬送路１３は、上搬送ローラ１３ａと下搬送ローラ１３ｂとの上下に対設した一対を水平方向のカード搬送方向に沿って複数対配設し、これら搬送ローラ１３ａ，１３ｂ…をメイン搬送モータＭ１で正逆転自由に駆動して、このカード搬送路１３に導かれたＩＣカードｃ１や磁気カードｃ２を１枚ずつ挟持搬送する。
【００１９】
また、このカード搬送路１３上に磁気ヘッド１６とＩＣカード用接点部１７とを配設しており、ここに導かれた磁気カードｃ２の磁気ストライプに磁気ヘッド１６が接して、同カードｃ２の磁気データを読取り処理する。同じく、ここに導かれたＩＣカードｃ１のＩＣ接点部にＩＣカード用接点部１７が接して、同カードｃ１にＩＣデータを書込み処理する。
【００２０】
カード切換搬送部１４は、カード搬送路１３の後段に連設され、ＩＣカードｃ１の発行通路１８と磁気カードｃ２の一時保留部１９とを上下に平行して一体に備えた昇降ユニット２０と、磁気カードｃ２の回収箱２１とを備えて構成される。
【００２１】
昇降ユニット２０は、カード搬送路１３と平行する上側にＩＣカードｃ１の発行通路１８を配設し、その下側に磁気カードｃ２の一時保留部１９を配設して、いずれか一方をカード搬送路１３の接続高さ位置に対応するように昇降動作させる昇降機構を有している。この昇降機構は昇降モータＭ２の正逆転駆動に連動する図示しないラックとピニオン構成により、昇降ユニット２０の全体が上下動して上側の発行通路１８または下側の一時保留部１９がカード搬送路１３との接続高さ位置に位置決めされる。通常は、図１に示すように、カード搬送路１３に一時保留部１９が対応した磁気カードｃ２の受付け待機状態にある。
【００２２】
このように、昇降ユニット２０を上動させてカード搬送路１３に一時保留部１９を対応させたときは、磁気カードｃ２の挿入・返却及び保留・回収用の処理部が自動的に形成され、この磁気カード待機状態で磁気カードｃ２が挿入されると、磁気ヘッド１６の位置で磁気データ処理された後、直進してカード切換搬送部１４の一時保留部１９に受止められ、取引完了するまで一時保留される。
【００２３】
これに対し、昇降ユニット２０を下動させてカード搬送路１３に発行通路１８を対応させたときは（図２参照）、ＩＣカードカセット２２の繰出し部、発行通路１８、カード搬送路１３のそれぞれが水平に連続して接続されるＩＣカードの発行用搬送路が形成され、このＩＣカード発行待機状態で発行指令があると、後段のカード発行部１５のＩＣカードカセット２２から繰出されたＩＣカードｃ１は発行通路１８を介して前段のカード搬送路１３側へと発行許容される。
【００２４】
また、一時保留部１９には磁気カードｃ２の回収機能を備えており、昇降ユニット２０を下動させたとき、下動した一時保留部１９の後段側が磁気カードの回収箱２１と接続対応し、磁気カードの回収要請があったときに、さらに内方に搬送することにより、一時保留されている磁気カードｃ２はその後段側に位置する回収箱２１へと回収される。この回収動作は不正カードと判定されたとき、あるいは価値がなくなって不要になった無効カードのときに取込み回収する。
【００２５】
さらに、このカード切換搬送部１４は、前段のカード搬送路１３と後段のカード発行部１５との間で、全体を着脱可能に取付けられており、これにより係員がカードを回収したり、内部点検するときに係員操作が容易になり、また取扱うカードの種類を変更するときに、この部分を交換するだけで簡単に変更することができる。
【００２６】
カード発行部１５は、カード切換搬送部１４の後段に連設され、ＩＣカードｃ１を発行待機させるＩＣカードカセット２２と、このカセット２２からＩＣカードｃ１を１枚ずつ繰出すカード繰出し機構２３とを備えて構成される。
【００２７】
上述のＩＣカードカセット２２は、ＩＣカードｃ１の複数枚を上下方向に積層して収納し、その下端繰出し部の位置をカード繰出し機構２３に接続し、この機構２３の繰出し動作によりＩＣカードｃ１はこれより１枚ずつ繰出され、カード切換搬送部１４の発行通路１８を外方に向けて水平に通過し、カード搬送路１３を直進してカード出入口１２より発行される。
【００２８】
また、カード搬送路１３上にはカード搬送検知センサＳを配設し、発行通路１８にはカード発行検知センサＳ１を配設し、一時保留部１９にはカード保留検知センサＳ１を配設してカードの搬送状態を検知確認している。
【００２９】
図３はカード発行装置１１の制御回路ブロック図を示し、ＣＰＵ３１はＲＯＭ３２に格納されたプログラムに沿って各回路装置を制御し、その制御データをＲＡＭ３３で読出し可能に記憶する。
【００３０】
メイン搬送モータＭ１は、ＩＣカードｃ１と磁気カードｃ２の共通搬送路として設けられるカード搬送路１３を正逆転駆動する。
【００３１】
昇降モータＭ２は、ＩＣカードｃ１と磁気カードｃ２の処理順序に応じて昇降ユニット２０を上下動する。
【００３２】
カード発行モータＭ３は、ＩＣカード発行時にカード繰出し機構２３を駆動してＩＣカードカセット２２からＩＣカードｃ１を１枚ずつ繰出し動作する。
【００３３】
カード保留・回収モータＭ４は、一時保留部１９に導かれた磁気カードｃ２を受止めて一時保留し、これより正転して磁気カードｃ２を回収箱２１に回収動作するか、あるいは逆転してカード出入口１２へと返却動作させる。
【００３４】
ところで、ＣＰＵ３１は各検知センサＳ，Ｓ１，Ｓ２を介してカードの搬送状態や有無を確認したとき、また読取った磁気データの結果に基づいて各モータＭ１〜Ｍ４を適宜駆動して磁気カードｃ２及びＩＣカードｃ１を搬送制御する。
【００３５】
このように構成されたカード発行装置１１のデータ処理動作を図４のフローチャートを参照して説明する。
このカード搬送装置１１を、例えば顧客が銀行カードとしての磁気カードを用い、このカードの口座から指定金額を新しいＩＣカードにロードして発行させる電子マネーシステムに適用した場合について述べると、
今、カード出入口１２に顧客が磁気カードｃ２を挿入すると、これをカード搬送検知センサＳが検知することに基づいてＣＰＵ３１はメイン搬送モータＭ１を駆動して同磁気カードｃ２をカード搬送路１３に取込み（ステップｎ１）、
この取込まれた磁気カードｃ２は内方の磁気ヘッド１６の位置を通過するとき、この磁気カードｃ２の磁気ストライプが磁気ヘッド１６に接触して磁気データが読取られる（ステップｎ２〜ｎ３）。
【００３６】
ＣＰＵ３１は読取った磁気データが適正であれば、磁気カードｃ２をその後段側に対応する一時保留部１９に導いて一時保留する（ステップｎ４）。
【００３７】
このとき、ＣＰＵ３１はＩＣカードの発行を了承すると、一時保留状態で、図２に示すように、昇降ユニット２０を下動させて発行通路１８の前後をカード搬送路１３とカード発行部１５側に接続対応させる（ステップｎ５）。
【００３８】
この接続対応が完了すると、カード発行モータＭ３を駆動してＩＣカードカセット２２からＩＣカードｃ１を１枚繰出し、発行通路１８を直進させてカード搬送路１３へと導き、ＩＣカード用接点部１７で指定金額を同ＩＣカードにロードさせた後、カード出入口１２より指定金額がロードされたＩＣカードｃ１を発行する（ステップｎ６）。
【００３９】
このＩＣカードｃ１の発行後は、図１に示すように、再び昇降ユニット２０上動させてカード搬送路１３に一時保留部１９を接続対応させた元の磁気カード挿入待機状態に戻した後（ステップｎ７）、
カード保留・回収モータＭ４及びメイン搬送モータＭ１を逆転駆動して、一時保留部１９に保留されている磁気カードｃ２を最後にカード出入口１２より返却して一取引が終了する（ステップｎ８）。
【００４０】
一方、磁気カードｃ２の磁気データを読取ったとき、磁気データが無効、不正等の不適カードと判定されたときは、カード保留・回収モータＭ４を回収方向に駆動して、その不適な磁気カードｃ２を一時保留部１９から回収箱２１へと回収動作させる（ステップｎ９〜ｎ１０）。
【００４１】
上述のように、共通搬送路としての前段のカード搬送路に、切換可能に発行通路と一時保留部とを後付けすることにより、カード出入口に連通する１つのカード搬送路から２つのカード処理経路を持たせて、最初に受付けた磁気カードを最後に返却できるなど２種類のカードを能率よくデータ処理でき、両カードを扱う搬送系を簡素化構成して装置全体の小型化と、低コスト化を図ることができる。
【００４２】
ことに、ＩＣカードの発行通路と磁気カードの一時保留部とを上下動させて切換える構成により、変形し難い材質を使用したカード等の受渡し搬送に適した切換えができる。さらに、無効カードや不正カードと判定された磁気カードを一時保留部からそのまま内方の回収箱に自動的に回収動作することができる。また、発行通路と一時保留部との一体を、交換可能にユニット化してあるため、係員がカードを回収したり、内部点検するときに係員操作が容易になり、また取扱うカードの種類を変更するときに、そのユニット化した部分を交換するだけで簡単に変更することができる。
【００４３】
この発明と、上述の一実施例の構成との対応において、
この発明の媒体発行装置は、カード発行装置１１に対応し、
以下同様に、
媒体出入口は、カード出入口１２に対応し、
媒体搬送路は、カード搬送路１３に対応し、
媒体データ処理手段及びカードデータ処理手段は、磁気ヘッド１６とＩＣカード用接点部１７とに対応し、
第１の媒体は、ＩＣカードｃ１に対応し、
第２の媒体は、磁気カードｃ２に対応し、
媒体収納部及びＩＣカード収納部は、ＩＣカードカセット２２に対応し、
媒体発行通路は、ＩＣカードの発行通路１８に対応し、
切換手段は、昇降ユニット２０の昇降モータＭ２を駆動制御するＣＰＵ３１に対応し、
回収手段は、回収箱２３に対応するも、
この発明は請求項に示される技術思想に基づいて応用することができ、上述の一実施例の構成のみに限定されるものではない。
【図面の簡単な説明】
【図１】  この発明のカード発行装置の磁気カード挿入・返却状態を示す側面図。
【図２】  この発明のカード発行装置のＩＣカード発行状態を示す側面図。
【図３】  この発明のカード発行装置の制御回路ブロック図。
【図４】  この発明のカード発行装置の処理動作を示すフローチャート。
【符号の説明】
１１…カード発行装置
１２…カード出入口
１３…カード搬送路
１４…カード切換搬送部
１５…カード発行部
１６…磁気ヘッド
１７…ＩＣカード用接点部
１８…発行通路
１９…一時保留部
２０…昇降ユニット
２１…回収箱
２２…ＩＣカードカセット
２３…カード繰出し機構
３１…ＣＰＵ
ｃ１…ＩＣカード
ｃ２…磁気カード
【図１】
0003744719.tif 000002
【図２】
0003744719.tif 000003
【図３】
0003744719.tif 000004
【図４】
0003744719.tif 000005